(57)【要約】【課題】ラックの外部に振動や衝撃を受けても、この振動や衝撃がラックの内部に伝達しないようにして、ラックの内部に収納される各種の機器を確実に保護する。【解決手段】このラックＲは、アウターラックＲ１及びインナーラックＲ２からなる２重構造に構成され、これらアウターラックＲ１とインナーラックＲ２との間に複数の防振装置Ｍ１が介装され、各種の機器をアウターラックＲ１内で、インナーラックＲ２内に収容し、各防振装置Ｍ１により支持するようにした。【選択図】図４
2014075506.tif 000002
【特許請求の範囲】
【請求項１】
各種の機器の正面側、背面側、及び正面側と背面側の間の外周面上を包囲する正面部、背面部、及び周面部を備え、各種の機器を収納する機器収納用ラックにおいて、
各種の機器の正面側、背面側、及び外周面上を包囲する正面部、背面部、及び周面部を有し、各種の機器を収納するアウターラックと、
前記アウターラック内に配置され、各種の機器の正面側、背面側、及び外周面を保持する正面部、背面部、及び周面部を有し、各種の機器を抱持するインナーラックと、
前記アウターラック内の各コーナー又は各コーナー付近に設置され、前記インナーラックを支持する複数の防振装置と、
を備え、
各種の機器を前記アウターラック内で、前記インナーラック内に収容し、前記各防振装置により支持する、
ことを特徴とする機器収納用ラック。
【請求項２】
各防振装置は、アウターラック内で各コーナー又は各コーナー付近に固定される取付ベース、及び前記取付ベース上に複数の防振ゴムを介して取り付けられ、前記インナーラックの各コーナー又は各コーナー付近を支持可能な支持フレームを有する請求項１に記載の機器収納用ラック。
【請求項３】
アウターラックは正面部から周面部を含み背面部までの各コーナーが斜めに形成されて、全体として断面略８角形の箱形に形成され、インナーラックは正面部から周面部を含み背面部までの各コーナーが斜めに形成されて、全体として断面８角形の枠形に形成され、各防振装置は取付ベースが前記アウターラック内で前記斜めのコーナーに沿って延びる略平板状に形成され、支持フレームが前記取付ベース上に平行に延びる平板状で、前記取付ベース上に複数の防振ゴムを介して取り付けられる取付部、及び前記取付部の両側に略ハの字形に開く方向に延びる支持部を有し、前記取付ベースが前記アウターラック内で前記斜めのコーナーに固定され、前記支持部が前記インナーラックの斜めのコーナーの両側に圧接される請求項２に記載の機器収納用ラック。
【発明の詳細な説明】
【技術分野】
【０００１】
本発明は、コンピュータ、通信機器、電気機器など各種の機器を収納するのに使用する機器収納用ラックに関する。
【背景技術】
【０００２】
一般に、コンピュータや通信機器などの機器を収納する機器収納用ラックとして、機器の正面側、背面側、及び正面側と背面側の間の外周面上を包囲する正面部、背面部、及び周面部を備えた箱形又は枠形のラックが知られている。この種の箱形のラックが、例えば特許文献１に開示されている。
この文献１のラックは、天面パネル、底面パネル、左右両側面パネル、背面パネルがそれぞれ端部を突合せられて溶接又はねじ止めにより固定され、正面に扉が開閉可能に取り付けられて、全体が箱形に構成される。このようにしてラックの内部にコンピュータや通信機器など各種の機器を収納するようになっている。
【先行技術文献】
【特許文献】
【０００３】
【特許文献１】特開２００３−２１８５６１公報
【発明の概要】
【発明が解決しようとする課題】
【０００４】
しかしながら、上記従来のラックでは、天面、底面、左右両側面、背面の各パネル、及び正面の扉により、全体が箱形に組み立てられているだけなので、これらのパネルや扉に剛性を有する材料を用いたとしても、外部から振動や衝撃を受けたりすると、この振動や衝撃がラックの内部に伝達され、この振動、衝撃により、ラックの内部に収納された各種の機器が損傷する恐れがある、という問題がある。
【０００５】
本発明は、このような従来の問題を解決するもので、この種の機器収納用ラックにおいて、外部から振動や衝撃を受けても、この振動や衝撃がラックの内部に伝達されないようにして、ラックの内部に収納される各種の機器を損傷させることなく確実に保護すること、を目的とする。
【課題を解決するための手段】
【０００６】
上記目的を達成するために、本発明は、各種の機器の正面側、背面側、及び正面側と背面側の間の外周面上を包囲する正面部、背面部、及び周面部を備え、各種の機器を収納する機器収納用ラックにおいて、各種の機器の正面側、背面側、及び外周面上を包囲する正面部、背面部、及び周面部を有し、各種の機器を収納するアウターラックと、前記アウターラック内に配置され、各種の機器の正面側、背面側、及び外周面を保持する正面部、背面部、及び周面部を有し、各種の機器を抱持するインナーラックと、前記アウターラック内の各コーナー又は各コーナー付近に設置され、前記インナーラックを支持する複数の防振装置とを備え、各種の機器を前記アウターラック内で、前記インナーラック内に収容し、前記各防振装置により支持する、ことを要旨とする。
この場合、各防振装置は、アウターラック内で各コーナー又は各コーナー付近に固定される取付ベース、及び前記取付ベース上に複数の防振ゴムを介して取り付けられ、前記インナーラックの各コーナー又は各コーナー付近を支持可能な支持フレームを有することが好ましい。
また、この場合、アウターラックは正面部から周面部を含み背面部までの各コーナーが斜めに形成されて、全体として断面略８角形の箱形に形成され、インナーラックは正面部から周面部を含み背面部までの各コーナーが斜めに形成されて、全体として断面８角形の枠形に形成され、各防振装置は取付ベースが前記アウターラック内で前記斜めのコーナーに沿って延びる略平板状に形成され、支持フレームが前記取付ベース上に平行に延びる平板状で、前記取付ベース上に複数の防振ゴムを介して取り付けられる取付部、及び前記取付部の両側に略ハの字形に開く方向に延びる支持部を有し、前記取付ベースが前記アウターラック内で前記斜めのコーナーに固定され、前記支持部が前記インナーラックの斜めのコーナーの両側に圧接されることが好ましい。
【発明の効果】
【０００７】
本発明の機器収納用ラックによれば、ラック全体をアウターラック及びインナーラックからなる２重構造とし、これらアウターラックとインナーラックとの間に複数の防振装置を介装し、各種の機器をアウターラック内で、インナーラック内に収容し、各防振装置により支持するようにしたので、このラックの内部で各種の機器を宙に浮いた状態に支持することができ、このラックの外部に振動や衝撃を受けても、この振動や衝撃がアウターラックとインナーラックとの間で各防振装置により吸収されて、ラックの内部に伝達されることがなく、この外部の振動や衝撃から、ラックの内部に収納される各種の機器を損傷させることなく確実に保護することができる、という効果を奏する。
【図面の簡単な説明】
【０００８】
【図１】本発明の一実施の形態における機器収納用ラックの外部の構成を示す正面図
【図２】同ラックの外部の構成を示す側面図
【図３】同ラックの外部の構成を示す平面図
【図４】同ラックの内部の構成を示す正面断面図
【図５】同ラックの内部の構成を示す側面断面図
【図６】同ラックの要部の構成を示す一部拡大分解斜視図
【図７】同ラックの要部の構成を示す一部拡大断面正面図
【発明を実施するための形態】
【０００９】
次に、この発明を実施するための形態について図を用いて説明する。図１乃至図３に機器収納用ラックの外部の構成を示し、図４及び図５にこのラックの内部の構成を示している。また、図６及び図７にこのラックの要部の構成を示している。
【００１０】
図１乃至図３に示すように、機器収納用ラックＲは、各種の機器の正面側、背面側、及び正面側と背面側の間の外周面上を包囲する正面部、背面部、及び周面部を備え、コンピュータ、通信機器などの各種の機器を収納するもので、図４及び図５に示すように、このラックＲでは、特に、各種の機器の正面側、背面側、及び外周面上を包囲する正面部、背面部、及び周面部を有し、各種の機器を収納するアウターラックＲ１と、アウターラックＲ１内に配置され、各種の機器の正面側、背面側、及び外周面を保持する正面部、背面部、及び周面部を有し、各種の機器を抱持するインナーラックＲ２と、アウターラックＲ１内の各コーナー又は各コーナー付近に設置され、インナーラックＲ２を支持する複数の防振装置Ｍ１とを備え、各種の機器をアウターラックＲ１内で、インナーラックＲ２内に収容し、各防振装置Ｍ１により支持するようになっている。
【００１１】
このラックＲにあっては、アウターラックＲ１は、図２及び図３、図４及び図５に示すように、正面、背面に開口を有し、全体が箱形に形成されるラック本体Ａと、ラック本体Ａの正面、背面の各開口を開閉する正面、背面の蓋Ｂ１、Ｂ２とを備え、この場合、ラック本体Ａの正面の開口を構成する正面側の枠Ｆ１及び正面の蓋Ｂ１がアウターラックＲ１の正面部として構成され、ラック本体Ａの背面の開口を構成する背面側の枠Ｆ２及び背面の蓋Ｂ２がアウターラックＲ１の背面部として構成され、ラック本体Ａの正面側の枠Ｆ１と背面側の枠Ｆ２との間の奥行方向の各部がアウターラックＲ１の周面部として構成される。
【００１２】
ラック本体Ａは、図２及び図３に示すように、正面側及び背面側の各コーナーＣをなすアルミニウム材料からなるコーナーフレーム１と、正面側及び背面側の各コーナーフレーム１間に連結されて、各コーナーフレーム１とともに正面側及び背面側の各枠Ｆ１、Ｆ２を構成するアルミニウム材料からなる枠構成フレーム２と、正面側の各コーナーフレーム１と背面側の各コーナーフレーム１間に連結されて、正面側及び背面側の各枠Ｆ１、Ｆ２間を繋ぐアルミニウム材料からなる奥行フレーム３と、各コーナーフレーム１、各枠構成フレーム２及び各奥行フレーム３により囲まれた面内に取り付けられて、上下左右の各面Ｐをなす、アルミニウム材料からなるパネル４とを備え、これらの部材１、２、３、４により組み立てられる。
【００１３】
コーナーフレーム１は、アルミダイカストにより一体に成形され、図６に示すように、箱形の各コーナーＣを傾斜面とする傾斜面形状のコーナー中央部１０１、コーナー中央部１０１の一端から箱形の幅方向に延び、枠構成フレーム２と連結される幅方向延長部１０２、コーナー中央部１０１の他端から箱形の高さ方向に延び、枠構成フレーム２と連結される高さ方向延長部１０３、及びコーナー中央部１０１の奥行方向の側縁部から奥行方向に延び、奥行フレーム３と連結される奥行方向延長部１０４を有する。この場合、コーナー中央部１０１、幅方向延長部１０２、高さ方向延長部１０３、奥行方向延長部１０４の外側の面はそれぞれ、フラットな面になっていて、また、コーナー中央部１０１の内側の面には後述する蓋Ｂ１、Ｂ２をラック本体Ａの各開口に位置決めするためのガイド面Ｇ１が形成される。
また、このコーナーフレーム１には、幅方向延長部１０２と枠構成フレーム２、高さ方向延長部１０３と枠構成フレーム２、奥行方向延長部１０４と奥行フレーム３をそれぞれ連結するために、幅方向延長部１０２に箱形の幅方向に向けて、高さ方向延長部１０３に箱形の高さ方向に向けて、それぞれ、枠構成フレーム２を位置決めするためのガイド凸部（又はガイド凹部）、スプリングビンを挿通可能なスプリングピン挿通部、取付ねじを挿通可能なねじ挿通部が形成され、奥行方向延長部１０４に箱形の奥行方向に、奥行フレーム３を位置決めするためのガイド凸部（又はガイド凹部）、スプリングビンを挿通可能なスプリングピン挿通部、取付ねじを挿通可能なねじ挿通部が形成される。
この場合、幅方向延長部１０２は内側の面にこの幅方向延長部１０２の先端からコーナー中央部１０１に向けて連続する直方体形状の連結ブロック１２が形成され、この連結ブロック１２の先端で中央にコーナー中央部１０１の一部を開口して貫通されるねじ挿通部１２１が形成され、このねじ挿通部１２１の両側にそれぞれ所定の深さを有する有底のスプリングピン挿通部１２２が形成される。また、この幅方向延長部１０２の内側の面には連結ブロック１２の一側部に並列にガイド凸部をなすガイドブロック１２３が形成され、先端側が幅方向延長部１０２の先端から先方に向けて突出される。
高さ方向延長部１０３は幅方向延長部１０２とコーナー中央部１０１を中心にして対称的に形成され、内側の面にこの高さ方向延長部１０２の先端からコーナー中央部１０１に向けて連続する連結ブロック１３が形成され、この連結ブロック１３の先端で中央にコーナー中央部１０１の一部を開口して貫通されるねじ挿通部１３１が形成され、このねじ挿通部１３１の両側にそれぞれ所定の深さを有する有底のスプリングピン挿通部１３２が形成される。また、この高さ方向延長部１０３の内側の面には連結ブロック１３１の一側部に並列にガイド凸部をなすガイドブロック１３３が形成され、先端側が高さ方向延長部１０３の先端から先方に向けて突出される。
奥行方向延長部１０４は内側の面の両側にそれぞれこの奥行方向延長部１０４の先端からコーナー中央部１０１に向けて連続する一対の連結ブロック１４とこれらの連結ブロック１４の内側にそれぞれ平行に連結短ブロック１４０が形成されて、各連結ブロック１４に先端から所定の深さに有底のスプリングピン挿通部１４２が形成され、各連結短ブロック１４０に先後端を開口して貫通されるねじ挿通部１４１が形成される。また、この奥行方向延長部１０４の内側の面には各連結ブロック１４の間にガイド凸部をなすガイドブロック１４３が形成され、先端側が奥行方向延長部１０４の先端から先方に向けて突出される。
さらに、このコーナーフレーム１には、ラック本体Ａの開口側の縁部となるコーナー中央部１０１及び各延長部１０２、１０３の外側の縁部に凸状部１１４、１２４、１３４が形成され、また、幅方向延長部１０２と奥行方向延長部１０４との間の縁部、及び高さ方向延長部１０３と奥行方向延長部１０４との間の縁部にそれぞれ、パネル４を取り付けるための溝１５１、１５２が、この場合、円弧状に形成される。
このようにして、１つのラックＲにつき８個のコーナーフレーム１により、箱形の正面及び背面の各コーナーＣが構成される。
【００１４】
枠構成フレーム２は、アルミ押出形材からなり、図２、図３及び図６に示すように、外側の面がフラットで、内側の面にコーナーフレーム１の幅方向延長部１０２、高さ方向延長部１０３のスプリングピン挿通部１２２、１３２、ねじ挿通部１２１、１３１に対応して、スプリングピンを通すための溝、取付ねじを挿通するための溝をなす凹凸形状が長さ方向に連続して形成されるとともに、内側一方の側縁部に沿って溝を形成されてなる枠構成フレーム基材から、正面側及び背面側の各枠Ｆ１、Ｆ２の各辺の長さにカットされて形成される。
この場合、枠構成フレーム２は、図６に示すように、連結端からこの枠構成フレーム２の長さ方向に向けてコーナーフレーム１の幅方向延長部１０２、高さ方向延長部１０３のスプリングピン挿通部１２２、１３２、ねじ挿通部１２１、１３１に連通可能にスプリングピン挿通部２０２、ねじ挿通部２０１が形成され、ねじ挿通部２０１に図示されないナットが内設され、幅方向延長部１０２、高さ方向延長部１０３のガイドブロック１２３、１３３に係合可能にガイド溝２０３が形成され、また、組み立て時に外側となる一方の側縁部に沿ってコーナーフレーム１の凸状部１２４、１３４に連続する凸状部２０４が枠構成フレーム２の長さ方向に連続して形成され、組み立て時に内側となる他方の側縁部にパネル４を挿入可能に溝２０５が枠構成フレーム２の長さ方向に連続して形成される。
かかる枠構成フレーム２は各コーナーフレーム１の幅方向延長部１０２及び高さ方向延長部１０３に、両者のガイド溝２０３、２０３、ガイドブロック１２３、１３３が係合され、両者のスプリングピン挿通部２０２，１２２間、２０２，１３２間にスプリングピン２５２が通され、両者のねじ挿通部２０１，１２１間、２０１，１３１間に取付ねじ２５１が挿通されナットに締結されて、各コーナーフレーム１間に連結される。
このようにして、１つのラックＲにつき２組の上下の各枠構成フレーム２、２組の左右の各枠構成フレーム２により、箱形の正面側及び背面側の各枠Ｆ１、Ｆ２が構成される。
【００１５】
奥行フレーム３は、アルミ押出形材からなり、図２、図３、図６及び図７に示すように、外側の面が断面略Ｃ字形の浅い溝形に形成され、内側の面にコーナーフレーム１の奥行方向延長部１０４のスプリングピン挿通部１４２、１４２、ねじ挿通部１４１、１４１に対応して、スプリングピン３５２を通すための溝、ねじ３５１を挿通するための溝をなす凹凸形状が長さ方向に連続して形成されるとともに、両側の側縁部に沿って溝を形成されてなる枠構成フレーム基材から、箱形の正面側及び背面側の各枠Ｆ１、Ｆ２間の奥行方向の各辺の長さにカットされて形成される。
この場合、奥行フレーム３は、図７に示すように、外側の面の両側部に沿ってそれぞれ内方に向けて断面略Ｌ字形に突出するフランジ３１１が設けられて、外側の面に溝３１が形成され、また、図６に示すように、内側の面の両側にそれぞれこの奥行フレーム３の長さ方向に向けてコーナーフレーム１の奥行方向延長部１０４の各スプリングピン挿通部１４２に連通可能に部品取付溝３２１が形成され、この部品取付溝３２１にスプリングピン３５２を挿通保持するためのスプリング取付部材とコーナーフレーム１の奥行方向延長部１０４のねじ挿通部１４１に対応してナット３５０を取り付けるためのナット取付部材を兼用する取付部材３２２が取り付けられて、この取付部材３２２にナット３５０がコーナーフレーム１の奥行方向延長部１０４の各ねじ挿通部１４１に連通可能に取り付けられる。また、図６に示すように、この奥行フレーム３の組み立て時に左右両側となる各側縁部にパネル４が挿入可能に溝３２３が奥行フレーム３の長さ方向に連続して形成される。
かかる奥行フレーム３は各コーナーフレーム１の奥行方向延長部１０４に、奥行方向延長部１０４の各スプリング挿通部１４２と奥行フレーム３の各部品取付溝３２１に取り付けられた取付部材３２２との間にスプリングピン３５２が通され、奥行方向延長部３の各ねじ挿通部１４１と奥行フレーム３の各部品取付溝３２１に取付部材３２２を介して取り付けられたナット３５０との間に取付ねじ３５１が挿通締結されて、各コーナーフレーム１間に連結される。
このようにして、１つのラックＲにつき４本の奥行フレーム３により、箱形の正面側及び背面側の各枠Ｆ１、Ｆ２間を繋ぐ奥行部Ｓが構成される。
【００１６】
パネル４は、アルミ板からなり、図２、図３に示すように、コーナーフレーム１と枠構成フレーム２と奥行フレーム３とにより構成される箱形の上下左右の各面Ｐにコーナーフレーム１と枠構成フレーム２と奥行フレーム３の各内側の側縁部の各溝１５１，１５２、２０５、３２３に挿入して組み込み可能に平面状に形成される。このパネル４の場合、箱形の上下、左右の各面Ｐ毎に適宜大きさの矩形状のフラットパネルとして形成され、適宜補強リブが設けられる。したがって、パネル４はコーナーフレーム１、枠構成フレーム２及び奥行フレーム３により囲まれた面内に、コーナーフレーム１、枠構成フレーム２、枠構成フレーム３の溝１５１，１５２、２０５、３２３内に挟持されて組み込まれる。
このようにして、１つのラックＲにつき上下の各面をなす２枚のパネル４と左右の各面をなす２枚のパネル４とにより、箱形の上下左右の各面Ｐが構成される。
【００１７】
このようにラック本体Ａは、正面側及び背面側の各コーナーＣをなすコーナーフレーム１と、各コーナーフレーム１とともに正面側及び背面側の各枠Ｆ１、Ｆ２を構成する枠構成フレーム２と、正面側及び背面側の各枠Ｆ１、Ｆ２間を繋ぐ奥行フレーム３と、上下左右の各面Ｐをなすパネル４とからなり、各コーナーフレーム１が、正面側及び背面側の各コーナーＣを傾斜面とする傾斜面形状のコーナー中央部１０１、コーナー中央部１０１の一端から幅方向に延び、枠構成フレーム２と連結される幅方向延長部１０２、コーナー中央部１０１の他端から高さ方向に延び、枠構成フレーム２と連結される高さ方向延長部１０３、及びコーナー中央部１０１の奥行側縁部から奥行方向に延び、奥行フレーム３と連結される奥行方向延長部１０４を有し、各奥行フレーム３が各コーナーフレーム１の奥行方向延長部１０４に連結されて、ラック本体Ａ全体が断面略８角形に構成される。
【００１８】
正面、背面の蓋Ｂ１、Ｂ２はそれぞれ、図１に示すように、正面、背面の各コーナーをなすアルミニウム材料からなる蓋コーナーフレーム７１と、各蓋コーナーフレーム７１間に連結されて、各蓋コーナーフレーム７１とともに正面、背面の蓋の枠を構成するアルミニウム材料からなる蓋枠構成フレーム７２と、各蓋コーナーフレーム７１及び各蓋枠構成フレーム７２により囲まれた面内に取り付けられて、正面、背面の蓋Ｂ１、Ｂ２の面をなすアルミニウム材料からなる蓋パネル７３と、正面、背面の蓋Ｂ１、Ｂ２の蓋枠構成フレーム７１に装着され、正面、背面の蓋Ｂ１、Ｂ２とラック本体Ａとを固定する蓋ロック部材８とを備え、これらの部材７１、７２、７３、８により組み立てられる。
【００１９】
蓋コーナーフレーム７１は、アルミダイカストにより一体に成形され、正面側、背面側の各コーナーＣを傾斜面とする傾斜面形状のコーナー中央部７１１、コーナー中央部７１１の一端から幅方向に延び、蓋枠構成フレーム７２と連結される幅方向延長部７１２、及びコーナー中央部７１１の他端から高さ方向に延び、蓋枠構成フレーム７２と連結される高さ方向延長部７１３を有する。この場合、コーナー中央部７１１、幅方向延長部７１２、高さ方向延長部７１３の外側の面はフラットで、内側の面には内周方向に凸状部７１４が形成されてその内周縁に蓋パネル７３を取り付けるための溝７１５が形成され、また、ラック本体Ａのコーナーフレーム１の凸状部１１４、１２４、１３４と対向するコーナー中央部７１１及び各延長部７１２、７１３の内側の縁部にコーナーフレーム１の凸状部１１４、１２４、１３４に係合可能な凹状部（図示省略）が形成される。
蓋枠構成フレーム７２は、アルミ押出形材からなり、外側の面がフラットで、内側の面には凸状部７２４が形成され、その内周縁に蓋パネル７３を取り付けるための溝７２５が形成され、また、ラック本体Ａの枠構成フレーム２の凸状部２０４と対向する内側の縁部に枠構成フレーム２の凸状部２０４に係合可能な凹状部（図示省略）が形成される。
かかる蓋枠構成フレーム７２は、各蓋コーナーフレーム７１の幅方向延長部７１２及び高さ方向延長部７１３にそれぞれ、スプリングピン、取付ねじ及びナットを介して連結される。
蓋パネル７３は、アルミ板からなり、蓋コーナーフレーム７１と蓋枠構成フレーム７２とにより構成される枠内に蓋コーナーフレーム７１及び蓋枠構成フレーム７２の内側の面の溝７１５、７２５に挟持されて組み込まれる。
このようにして正面、背面の蓋Ｂ１、Ｂ２はそれぞれ、正面、背面の枠をなす蓋コーナーフレーム７１、及び蓋枠構成フレーム７２と、正面、背面の蓋Ｂ１、Ｂ２の面をなす蓋パネル７３とからなり、蓋コーナーフレーム７１が、蓋Ｂ１、Ｂ２の各コーナーを傾斜面とする傾斜面形状のコーナー中央部７１１、コーナー中央部７１１の一端から蓋Ｂ１、Ｂ２の幅方向に延び、蓋枠構成フレーム７２と連結される幅方向延長部７１２、コーナー中央部７１１の他端から蓋Ｂ１、Ｂ２の高さ方向に延び、蓋枠構成フレーム７２と連結される高さ方向延長部７１３を有し、全体がラック本体Ａに対応する断面略８角形に構成される。
これらの蓋Ｂ１、Ｂ２にはそれぞれ、後部側の各コーナーの内側に蓋枠構成フレーム７２から後方に突出し、ラック本体Ａのコーナーフレーム１のコーナー中央部１０１の内側の面に設けられたガイド面Ｇ１に係合可能な外面を有するガイド凸起Ｇ２（図５参照）が設けられる。これらのガイド面Ｇ１、ガイド凸起Ｇ２は、ラック本体Ａの正面及び背面と正面及び背面の各蓋Ｂ１、Ｂ２との間に設けられ、正面及び背面の各蓋Ｂ１、Ｂ２をラック本体Ａの正面及び背面に位置決めし保持するための位置決めガイドをなす。
また、これらの蓋Ｂ１、Ｂ２には、各コーナーの外側面に当該外側面の形状に沿ってラバーからなるカバー７Ｃが被せ付けられる。
【００２０】
蓋ロック部材８は複数の蓋ロック部材８で構成され、この場合、合計４個の蓋ロック部材８がそれぞれ、蓋枠構成フレーム７２の４隅近傍に形成されたロック部材挿通部に挿通固定される。また、これらの蓋ロック部材８はそれぞれ、ハンドル８３の初期位置から、ハンドル８３を引き起こし、ハンドルの軸を作動連結位置にして、このハンドル８３を所定の一方向に一定の角度（この場合、略９０°）まで回転操作すると、この蓋ロック部材８のガイド機構により、この蓋ロック部材８の図示されない係止部が同方向に回動して枠構成フレーム２に設けられた所定の被係合部に係合し、ハンドル８３をさらに同方向に一定の角度（この場合、略３０°）まで回転すると、この蓋ロック部材８のガイド機構により、係止部がハンドル８３側に移動して枠構成フレーム２と蓋枠構成フレーム７２とを相互に引き寄せる方向に加圧し、各枠構成フレーム２、７２を圧接して、ラック本体Ａと蓋Ｂ１、Ｂ２をロックする形式になっている。なお、このロックを解除する場合は、上記の操作とは反対の操作を行えばよい。
このような蓋ロック部材８により、ラック本体Ａと正面及び背面の各蓋Ｂ１、Ｂ２がロックされる。
【００２１】
このようにラック本体Ａ、正面及び背面の各蓋Ｂ１、Ｂ２が共に断面略８角形に構成されて、アウターラックＲ１は正面部から周面部を含み背面部までの各コーナーが斜めに形成され、全体として断面略８角形の箱形に構成される。
【００２２】
また、このラックＲにあっては、インナーラックＲ２は、図４及び図５に示すように、全体が、ラック本体Ａの内部空間内に嵌合可能にラック本体Ａの内部空間に対応する形状で、かつ各種の機器の外形に対応して当該機器の収納に適した構造に形成される。この場合、インナーフレームＲ２は、正面側及び背面側の各コーナーをなすコーナーフレームａ１と、正面側及び背面側の各コーナーフレームａ１間に連結されて、各コーナーフレームａ１とともに正面側及び背面側の各枠を構成する枠構成フレームａ２と、正面側の各コーナーフレームａ１と背面側の各コーナーフレームａ１間に連結されて、正面側及び背面側の各枠間を繋ぐ奥行フレームａ３とを備える。各コーナーフレームａ１はアルミダイカストからなり、正面側及び背面側の各コーナーを傾斜面とするコーナー中央部と、コーナー中央部の一端から幅方向に延び、枠構成フレームａ２と連結される幅方向延長部、コーナー中央部の他端から高さ方向に延び、枠構成フレームａ２と連結される高さ方向延長部、及びコーナー中央部の奥行側縁部から奥行方向に延び、奥行フレームａ３と連結される奥行方向延長部を有し、外側の面がフラットで、内側の面に、各種の機器の収納に適する所定の断面形状を有する。各枠構成フレームａ２、各奥行フレームａ３はいずれも、アルミ押出形材からなり、外側の面がフラットで、内側の面に、各種の機器の収納に適する断面形状を有する。そして、各コーナーフレームａ１の幅方向延長部に枠構成フレームａ２、高さ方向延長部に枠構成フレームａ２、奥行方向延長部に各奥行フレームａ３がそれぞれ、スプリングピン、取付ねじ及びナットを介して連結される。
【００２３】
このようにしてインナーラックＲ２は各コーナーフレームａ１、各枠構成フレームａ２及び各奥行フレームａ３により、正面部から周面部を含み背面部までの各コーナーが斜めに形成されて、全体として断面８角形の枠形に構成される。なお、このインナーフレームＲ２の場合、複数段の棚が設けられる。
【００２４】
各防振装置Ｍ１は、アウターラックＲ１内で各コーナー又は各コーナー付近に固定される取付ベース、及び取付ベース上に複数の防振ゴムを介して取り付けられ、インナーラックＲ２の各コーナー又は各コーナー付近を支持可能な支持フレームを有することが好ましい。
この場合、各防振装置Ｍ１は取付ベースがアウターラックＲ１内で斜めのコーナーに沿って延びる略平板状に形成され、支持フレームが取付ベース上に平行に延びる平板状で、取付ベース上に複数の防振ゴムを介して取り付けられる取付部、及び取付部の両側に略ハの字形に開く方向に延びる支持部を有し、取付ベースがアウターラックＲ１内で斜めのコーナーに固定され、支持部がインナーラックＲ２の斜めのコーナーの両側に圧接されることが好ましい。
【００２５】
そこで、防振装置Ｍ１はそれぞれ、ラック本体Ａの４コーナーの各奥行フレーム３の内側に取り付けられる。そして、防振装置Ｍ１はそれぞれ、図７に示すように、ラック本体Ａの奥行フレーム３に固定される取付ベースＭ１１と、取付ベースＭ１１上に複数の防振ゴムＭ１２を介して取り付けられ、インナーフレームＲ２の各コーナー付近を支持する支持フレームＭ１３とを備えて構成される。この場合、取付ベースＭ１１は奥行フレーム３上に延びるフレームで、奥行フレーム３の内側面上に設置可能な平面状のベース部Ｍ１１１と、奥行フレーム３の両側の各部品取付溝３２１に沿って設置可能に断面略くの字形の屈曲面をなす固定部Ｍ１１２とを有し、ベース部Ｍ１１１の所定の複数個所に防振ゴムＭ１２のための取付ねじ挿通部が設けられ、各固定部Ｍ１１２の側縁部側の面で各部品取付溝３２１の開口に対応する所定の複数個所に取付ベースＭ１１のための取付ねじ挿通部が設けられる。支持フレームＭ１３は取付ベースＭ１１上に延びるフレームで、取付ベースＭ１１のベース部Ｍ１１１と平行な平面状の取付部Ｍ１３１と、取付部Ｍ１３１の両側に略ハの字形に開く方向に延びる支持部Ｍ１３２とを有し、取付部Ｍ１３１の所定の複数個所に防振ゴムＭ１２のための取付ねじ挿通部が設けられる。このようにして取付ベースＭ１１上に複数の防振ゴムＭ１２を介して支持フレームＭ１３が取り付けられ、取付ベースＭ１１が奥行フレーム３上に設置されて、各固定部Ｍ１１２の各取付ねじ挿通部に取付ねじが通され、奥行フレーム３の各部品取付溝３２１内に設置固定されたナットに締結されて固定される。
【００２６】
このようにしてインナーフレームＲ２は、ラック本体Ａ内部の四隅に固定された各防振装置Ｍ１が、支持フレームＭ１３の取付部Ｍ１３１の面上に差し込まれる専用の治具により各防振ゴムＭ１２を圧縮する方向に加圧され押し広げられた状態から、各防振装置Ｍ１の内側に組み入れられ、専用の治具による加圧の解除、取り外しにより各防振装置Ｍ１を弾性復帰させることにより、インナーフレームＲ２の各コーナーの両側が各防振装置Ｍ１の支持フレームＭ１３の各支持部Ｍ１３２に圧接されて、インナーフレームＲ２は各防振装置Ｍ１によりラック本体Ａの内部に宙に浮いた状態にして弾性的に支持される。
【００２７】
この機器収納用ラックＲの使い方について図１乃至図５、及び図７を用いて説明する。
図１、図２及び図３に示すように、この機器収納用ラックＲは、ラック本体Ａと、正面及び背面の蓋Ｂ１、Ｂ２とからなるので、ラック本体Ａの正面及び背面が開放された状態から、ラック本体Ａにコンピュータ、通信機器など各種の機器を収容する。この場合、ラック本体Ａの中から図４、図５に示すインナーフレームＲ２を取り出し、インナーフレームＲ２に各種の機器を組み込んだ後、このインナーフレームＲ２をラック本体Ａ内に戻し入れて、各種の機器を収納する。このインナーフレームＲ２をラック本体Ａ内に入れる場合、図７に示すように、ラック本体Ａ内部の四隅に固定された各防振装置Ｍ１の各支持フレームＭ１３を各支持フレームＭ１３の取付部Ｍ１３１の面上に図示されない専用の治具差し込んで各防振ゴムＭ１２を圧縮する方向に加圧して押し広げた状態から、インナーフレームＲ２を各防振装置Ｍ１の内側に挿入する。このインナーフレームＲ２の挿入後、専用の治具による各支持フレームＭ１３の加圧の解除、取り外しにより各支持フレームＭ１３を弾性復帰させることにより、インナーフレームＲ２の各コーナーの両側が各支持フレームＭ１３の各支持部Ｍ１３２に圧接され、インナーフレームＲ２に組み込まれた各種の機器は各防振装置Ｍ１によりラック本体Ａの内部で宙に浮いた状態に弾性的に支持される。なお、ラック本体Ａの中からインナーフレームＲ２を取り出す場合は、上記の動作が逆となる。
【００２８】
このようにしてラック本体Ａ内に各種の機器を収納したら、図５に示すように、ラック本体Ａの正面及び背面に、正面及び背面の各蓋Ｂ１、Ｂ２を合わせ、図１に示すように、各蓋Ｂ１、Ｂ２の蓋枠構成フレーム７２に蓋ロック部材８を装着し、ラック本体Ａの枠構成フレーム２に係合させてロックし、ラック本体Ａと各蓋Ｂ１、Ｂ２とを結合する。
この場合、図５に示すように、蓋Ｂ１、Ｂ２にガイド凸起Ｇ２を有し、ラック本体Ａのコーナーフレーム１の内面にガイド面Ｇ１が設けられているので、これらのガイド凸起Ｇ２、ガイド面Ｇ１の案内及び支持により、正面及び背面の各蓋Ｂ１、Ｂ２をそれぞれラック本体Ａの正面及び背面に簡単かつ確実に位置合わせし、連接した状態に保持することができる。
また、この場合、４個の蓋ロック部材８が蓋枠構成フレーム７２の４隅近傍に形成されたロック部材挿通部に挿通固定される。そして、ハンドル８３の初期位置から、ハンドル８３を引き起こし、ハンドルの軸を作動連結位置にして、このハンドル８３を所定の一方向に一定の角度（この場合、略９０°）まで回転操作すると、この蓋ロック部材８の係止部が同方向に回動して枠構成フレーム２に設けられた所定の被係合部に係合し、ハンドル８３をさらに同方向に一定の角度（この場合、略３０°）まで回転すると、この係止部がハンドル８３側に移動して枠構成フレーム２と蓋枠構成フレーム７２とを相互に引き寄せる方向に加圧し、各枠構成フレーム２、７２が圧接された状態で、ラック本体Ａと蓋Ｂ１、Ｂ２がロックされる。なお、この場合、ハンドル８３を倒すことで、このハンドル８３が蓋Ｂ１、Ｂ２の外周縁部をなす蓋枠構成フレーム７２の外側縁部の高さ内に収められる。
【００２９】
このように各種の機器を収納したラックＲは、図１に示すように、このままの状態で設置してもよく、このままの状態から搬送することもできる。また、複数のラックＲを上下方向に積み重ねたり、あるいは左右方向に並置したり、又は上下左右に組み合わせて設置したりすることもできる。
このラックＲの場合、既述のとおり、各コーナーフレーム１が、箱形の各コーナーＣを傾斜面とするコーナー中央部１０１、コーナー中央部１０１の一端から箱形の幅方向に延び、枠構成フレーム２と連結される幅方向延長部１０２、コーナー中央部１０１の他端から箱形の高さ方向に延び、枠構成フレーム２と連結される高さ方向延長部１０３、及びコーナー中央部１０１の奥行側縁部から奥行方向に延び、奥行フレーム３と連結される奥行方向延長部１０４を有し、これらコーナーフレーム１のコーナー中央部１０１と、正面側の各コーナーフレーム１のコーナー中央部１０１と背面側の各コーナーフレーム１のコーナー中央部１０１との間に連結される各奥行フレーム３により、箱形全体が断面略８角形に構成されるので、複数のラックＲを一列に又は複列に並べたり多段的に積み重ねたりする場合に、隣り合う各ラックＲ間の隙間が小さくて済み、このため、各ラックＲが隣接しやすく、複数のラックＲを並べる場合でも積み重ねる場合でも作業を容易に行うことができる。
また、このラックＲの場合、各コーナーフレーム１、各枠構成フレーム２、各奥行フレーム３、各パネル４、各蓋コーナーフレーム７１、各蓋枠構成フレーム７２、各蓋パネル７３がアルミニウム材料（アルミニウム合金）により形成されるので、ラックＲ全体に軽量で、十分な強度を持たせることができ、さらに、各コーナーフレーム１の幅方向延長部１０２と枠構成フレーム２、高さ方向延長部１０３と枠構成フレーム２、奥行方向延長部１０４と奥行フレーム３がそれぞれ、スプリングピン２５２、３５２、取付ねじ２５１、３５１及びナット３５０を介して連結されるので、ラックＲに大きな衝撃が加えられた場合でも、ラックＲ全体の変形を防止することができる。したがって、ラックＲの搬送の際に、複数のラックＲを車両や航空機などの輸送手段に積み重ねて搭載しても、下のラックＲが上のラックＲの重みで変形してラックＲ内の機器を損傷させる恐れかなく、また、これら各種の機器を収納したラックＲを所定の設置場所に所要のレイアウトで積み上げても、同様に、下のラックＲが上のラックＲの重みで変形してラックＲ内の機器を損傷させる恐れもなく、各種の機器をラックＲごと自由なレイアウトで安定的に確実に段積み配置することができる。
さらに、このラックＲの場合、アウターラックＲ１は正面部から周面部を含み背面部までの各コーナーが斜めに形成されて、全体として断面略８角形の箱形に形成され、インナーラックＲ２は正面部から周面部を含み背面部までの各コーナーが斜めに形成されて、全体として断面８角形の枠形に形成されていて、各防振装置Ｍ１は、取付ベースＭ１１がアウターラックＲ１内で斜めのコーナーに沿って延びる略平板状に形成され、支持フレームＭ１３が取付ベースＭ１１上に平行に延びる平板状で、取付ベースＭ１１上に複数の防振ゴムＭ１２を介して取り付けられる取付部Ｍ１３１、及び取付部Ｍ１３１の両側に略ハの字形に開く方向に延びる支持部Ｍ１３２により構成されて、取付ベースＭ１１がアウターラックＲ１内で斜めのコーナーに固定され、支持フレームＭ１３の支持部Ｍ１３２が防振ゴムＭ１２の弾性力によってインナーラックＲ２の斜めのコーナーの両側に対して圧接するようにしたので、アウターラックＲ１に強い振動や衝撃が加えられても、アウターラックＲ１の内部でインナーラックＲ２が各防振装置Ｍ１から外れたりずれたりするようなことがなく、インナーラックＲ２は各コーナーの防振装置Ｍ１の緩衝作用により確実に支持されて、インナーラックＲ２内部の各種の機器が恰も宙に浮いた状態に支持される。したがって、このラックＲが外部に振動や衝撃を受けることがあっても、この振動や衝撃はアウターラックＲ１とインナーラックＲ２との間で各防振装置Ｍにより吸収されて、ラックＲの内部に伝達されることがなく、この外部の振動や衝撃から、ラックＲの内部に収納される各種の機器は確実に保護され、損傷することがない。
【００３０】
このようにこのラックＲでは各種の機器を収納して自由なレイアウトで多段的に積み重ねることができるので、キャビネット型のラックとして利用することができるとともに、これらの機器を屋内で移動したり屋外へ移動したりするような場合でも、各機器をラックＲに収納した状態でラックＲごと容易に搬送、設置することができる。また、同一の設置場所においても、これらの機器を一つのシステムとしてより使いやすいレイアウトに組み立てし直したり機器の変更又は追加により全体又は一部の機器のレイアウトを変更したりしようとする場合に、各機器をラックＲごと出し入れして、所望のレイアウトを容易に作ることができる。
【００３１】
以上説明したように、この機器収納用ラックＲによれば、ラックＲをアウターラックＲ１及びインナーラックＲ２からなる２重構造とし、これらアウターラックＲ１とインナーラックＲ２との間に複数の防振装置Ｍ１を介装し、各種の機器をアウターラックＲ１内で、インナーラックＲ２内に収容し、各防振装置Ｍ１により支持するようにしたので、このラックＲの内部で各種の機器を宙に浮いた状態に支持することができ、このラックＲの外部に振動や衝撃を受けても、この振動や衝撃がアウターラックＲ１とインナーラックＲ２との間で各防振装置Ｍにより吸収されて、ラックＲの内部に伝達することがなく、この外部の振動や衝撃から、ラックＲの内部に収納される各種の機器を損傷させることなく確実に保護することができる。
【００３２】
また、このラックＲでは、特に、各防振装置Ｍ１が、アウターラックＲ１内で各コーナー又は各コーナー付近に固定される取付ベースＭ１１、及びこの取付ベースＭ１１上に複数の防振ゴムＭ１２を介して取り付けられ、インナーラックＲ２の各コーナー又は各コーナー付近を支持可能な支持フレームＭ１３を有することが好ましく、この場合、アウターラックＲ１の正面部から周面部を含み背面部までの各コーナーを斜めに形成して、全体として断面略８角形の箱形に形成し、インナーラックＲ２の正面部から周面部を含み背面部までの各コーナーを斜めに形成して、全体として断面８角形の枠形に形成し、各防振装置Ｍ１においては、取付ベースＭ１１をアウターラックＲ１内で斜めのコーナーに沿って延びる略平板状に形成し、支持フレームＭ１３を取付ベースＭ１１上に平行に延びる平板状で、取付ベースＭ１１上に複数の防振ゴムＭ１２を介して取り付ける取付部Ｍ１３１、及び取付部Ｍ１３１の両側に略ハの字形に開く方向に延びる支持部Ｍ１３２により構成して、取付ベースＭ１１をアウターラックＲ１内で斜めのコーナーに固定し、支持フレームＭ１３の支持部Ｍ１３２を防振ゴムＭ１２の弾性力によりインナーラックＲ２の斜めのコーナーの両側に対して圧接するようにしたので、アウターラックＲ１に強い振動や衝撃が加えられても、アウターラックＲ１の内部でインナーラックＲ２が各防振装置Ｍ１から外れたりずれたりするようなことがなく、インナーラックＲ２を各コーナーの防振装置Ｍ１の緩衝作用により確実に支持して、インナーラックＲ２内部の各種の機器を宙に浮いた状態に確実に支持することができる。
【００３３】
なお、この実施の形態では、機器収納用ラックＲとして特殊な構造のアウターラックＲ１及びインナーラックＲ２を例示したが、これはアウターラックＲ１及びインナーラックＲ２の強度や利便性などラックＲそれ自体の品質を高めるためのもので、この点を考慮しなければ、アウターラックを一般に採用されるラックのように各種の機器の正面側、背面側、及び外周面上を包囲する正面部、背面部、及び周面部を有する単純な箱形や枠形に構成し、インナーラックも同様に一般に採用されるラックのように各種の機器の正面側、背面側、及び外周面上を保持する正面部、背面部、及び周面部を有する単純な箱形や枠形に構成してもよく、この場合でも、防振装置を上記と同様に構成し、上記同様にアウターラック内の各コーナー又は各コーナー付近に設置して、インナーラックの各コーナー又は各コーナー付近を支持するようにすることで、上記実施の形態と概ね同様の作用効果を得ることができる。
【符号の説明】
【００３４】
Ｒ  機器収納用ラック
Ｒ１  アウターラック
Ａ  ラック本体
Ｂ１  正面の蓋
Ｂ２  背面の蓋
Ｃ  コーナー
Ｆ１  正面側の枠
Ｆ２  背面側の枠
Ｓ  奥行部
Ｐ  面
１  コーナーフレーム
１０１  コーナー中央部
１０２  幅方向延長部
１０３  高さ方向延長部
１０４  奥行方向延長部
１１４  凸状部
１２  連結ブロック
１２１  ねじ挿通部
１２２  スプリングピン挿通部
１２３  ガイドブロック（ガイド凸部）
１２４  凸状部
１３  連結ブロック
１３１  ねじ挿通部
１３２  スプリングピン挿通部
１３３  ガイドブロック（ガイド凸部）
１３４  凸状部
１４  連結ブロック
１４０  連結短ブロック
１４１  ねじ挿通部
１４２  スプリングピン挿通部
１４３  ガイドブロック（ガイド凸部）
１５１、１５２  溝
Ｇ１  ガイド面
２  枠構成フレーム
２０１  ねじ挿通部
２０２  スプリングピン挿通部
２０３  ガイド溝
２０４  凸状部
２０５  溝
２５１  取付ねじ
２５２  スプリングピン
３  奥行フレーム
３１  溝
３１１  フランジ
３２１  部品取付溝
３２２  取付部材
３２３  溝
３５０  ナット
３５１  取付ねじ
３５２  スプリングピン
４  パネル
７１  蓋コーナーフレーム
７１１  コーナー中央部
７１２  幅方向延長部
７１３  高さ方向延長部
７１４  凸状部
７１５  溝
７２  蓋枠構成フレーム
７２４  凸状部
７２５  溝
７３  蓋パネル
７Ｃ  カバー
Ｇ２  ガイド凸起
８  蓋ロック部材
Ｒ２  インナーフレーム
ａ１  コーナーフレーム
ａ２  枠構成フレーム
ａ３  奥行フレーム
Ｍ１  防振装置
Ｍ１１  取付ベース
Ｍ１１１  ベース部
Ｍ１１２  固定部
Ｍ１２  防振ゴム
Ｍ１３  支持フレーム
Ｍ１３１  取付部
Ｍ１３２  支持部
【図１】
2014075506.tif 000003
【図２】
2014075506.tif 000004
【図３】
2014075506.tif 000005
【図４】
2014075506.tif 000006
【図５】
2014075506.tif 000007
【図６】
2014075506.tif 000008
【図７】
2014075506.tif 000009